(57)【要約】      （修正有）【課題】コストの削減や設置作業の効率化を図ることができる照明装置を提供する。【解決手段】照明装置１は、発光ダイオード素子を備える光源３と、間隔をあけて配置される複数の反射板４ａ等によって全体的に殻状に形成され、光源３からの光を反射させる反射体４と、光源３と反射体４を取り囲む透光性を有する殻状のカバー２と、反射体４の内側に設けられ、カバー２を透過するとともに反射体４における反射板４ａ同士の間を通過する外光と光源からの光によって発電する太陽電池６と、太陽電池からの電力を蓄電するとともに蓄電した電力を光源に供給する蓄電池７と、を備える。【選択図】図１
0003229928.tif 000002
【実用新案登録請求の範囲】
【請求項１】
発光ダイオード素子を備える光源と、
間隔をあけて配置される複数の反射板によって全体的に殻状に形成され、前記光源からの光を反射させる反射体と、
前記光源と前記反射体を取り囲む透光性を有する殻状のカバーと、
前記反射体の内側に設けられ、前記カバーを透過するとともに前記反射体における前記反射板同士の間を通過する外光と前記光源からの光によって発電する太陽電池と、
前記太陽電池からの電力を蓄電するとともに蓄電した電力を前記光源に供給する蓄電池と、を備える照明装置。
【請求項２】
前記反射体の内側に、前記光源からの光を当該反射体に向けて反射させる第二反射体を備える請求項１に記載の照明装置。
【考案の詳細な説明】
【技術分野】
【０００１】
本考案は、照明装置に関する。
【背景技術】
【０００２】
従前より道路や公園、屋外の駐車場等で使用される照明装置として、種々のものが提案されている。例えば特許文献１には、街路灯として使用される照明装置が示されている。
【０００３】
この照明装置は、太陽電池を備えていて、電力線等から供給される電力に加え、太陽電池で発電した電力でも発光するよう構成されている。
【先行技術文献】
【特許文献】
【０００４】
【特許文献１】特開２００４−２８１３２７号公報
【考案の概要】
【考案が解決しようとする課題】
【０００５】
ところで特許文献１の照明装置は、これを設置する支柱に対し、道路等を照らす照明部分は支柱の下面部に取り付けられ、太陽電池を含む発電部分は支柱の上面部に取り付けられる。すなわち、照明部分と発電部分が分離していることから、これらを覆うカバー等の保護部材をそれぞれに設けなければならず、コストアップにつながっている。また、分離した照明部分と発電部分を、支柱に対してそれぞれ取り付けなければならないため、設置作業に手間を要することになる。
【０００６】
更に、発電部分は支柱の上面部に位置していて、上方からの雨に直接曝されることになるため、風により巻き上げられた砂等が付着して発電部分に堆積しやすくなる。このため、堆積した砂等を頻繁に除去しなければ、発電効率が低下してしまうことになる。
【０００７】
このような点に鑑み、本考案は、従来に比してコストの削減や設置作業の効率化を図ることができ、また、従来の照明装置に比して砂等の堆積による発電効率の低下を招きにくい照明器具を提案することを目的とする。
【課題を解決するための手段】
【０００８】
本考案は、発光ダイオード素子を備える光源と、間隔をあけて配置される複数の反射板によって全体的に殻状に形成され、前記光源からの光を反射させる反射体と、前記光源と前記反射体を取り囲む透光性を有する殻状のカバーと、前記反射体の内側に設けられ、前記カバーを透過するとともに前記反射体における前記反射板同士の間を通過する外光と前記光源からの光によって発電する太陽電池と、前記太陽電池からの電力を蓄電するとともに蓄電した電力を前記光源に供給する蓄電池と、を備える照明装置である。
【０００９】
このような照明装置は、前記反射体の内側に、前記光源からの光を当該反射体に向けて反射させる第二反射体を備えることが好ましい。
【考案の効果】
【００１０】
本考案の照明装置によれば、１つのカバーの内側に光源と太陽電池を配置しているため、照明部分と発電部分に対してそれぞれ保護部材が必要であった従来の照明装置に比して、コストを削減することができる。また光源と太陽電池が１つのカバーの内側に収まっていてこれらを一体的に取り扱うことができるため、照明部分と発電部分が分離していた状態の照明装置よりも簡単に設置することができる。またこのような構成によって、支柱の上面部に発電部分を設けていた従来の照明装置に比して、砂等の堆積による発電効率の低下が生じにくくなる。
【００１１】
また反射体によって、光源からの光を効果的に利用して意図した部分をより明るく照らすことができる。また明るさは従来と同様に維持しつつ、光源を構成する発光ダイオード素子の数を従来よりも削減することも可能である。また反射体は、間隔をあけて配置される複数の反射板によって構成されていて、太陽電池は、反射板同士の間を通過する外光に加え、光源からの光によっても発電するため、より効果的に発電させることができる。
【００１２】
また反射体の内側に、光源からの光を反射体に向けて反射させる第二反射体を設ける場合は、意図した部分をより高い効率で照らすことができる。
【図面の簡単な説明】
【００１３】
【図１】本考案に係る照明装置の一実施形態を概略的に示した模式図である。
【考案を実施するための形態】
【００１４】
以下、図面を参照して、本考案に係る照明装置の一実施形態について説明する。なお、本発明の照明装置は屋外、屋内を問わず、種々の場所で使用可能であるが、一例として以下の説明では、道路等を上方から照らすために使用される場合について説明する。なお、以下の説明において上下方向とは、中心軸線Ｏに沿う方向をいう。また径方向とは、中心軸線Ｏに対して垂直な面内で中心軸線Ｏと直交する方向であり、周方向とは、この面内で中心軸線Ｏを中心として周回する方向である。
【００１５】
図１は、本実施形態の照明装置１を概略的に示した模式図である。照明装置１は、カバー２と、光源３と、反射体４と、第二反射体５と、太陽電池６と、蓄電池７を含んで構成されている。
【００１６】
カバー２は、透光性を有するものであって、透明、又は半透明の素材（例えば合成樹脂やガラス等）で形成されている。またカバー２は殻状であって、比較的厚みは薄く中空状になるものである。本実施形態では、上下方向の長さに対して径方向の長さが短くなる半楕円球殻状になるものであるが、この形状に限られず、例えば半球殻状になるように形成してもよいし、円錐殻状になるように形成してもよい。
【００１７】
本実施形態のカバー２は、その上部に支持部２ａが設けられていて、支持部２ａを不図示の支柱等に取り付けることによって保持されている。
【００１８】
なお、図示したカバー２は、下部が開口した状態になっているが、透光性を有する蓋体でこの開口を閉鎖してもよい。
【００１９】
カバー２の内側における上部には、光源３が設けられている。光源３は、１個又は複数個の発光ダイオード素子を備えている。光源３は、蓄電池７に電気的に接続されていて、蓄電池７から供給される電力によって発光ダイオード素子が発光する。なお光源３は、商用電源と接続して、蓄電池７で不足する電力を補うようにしてもよい。本実施形態の光源３は、側方及び下方に向けて光が発せられるように発光ダイオード素子を配置している。
【００２０】
反射体４は、複数の反射板４ａ、４ｂ、４ｃによって構成されている。反射板４ａ等は、例えば光沢を有する金属製の薄板により形成されるものであって、光を反射させる機能を有する。本実施形態では略矩形状になる複数の反射板４ａを、中心軸線Ｏを中心として周方向に配置して、これら反射板４ａの集合体を光源３の直下に位置させている。また反射板４ａと同様に周方向に配置した反射板４ｂの集合体と反射板４ｃの集合体を、上下方向にずらして間隔をあけて配置されている。なお、周方向に配置した反射板４ａの集合体に対し、反射板４ｂの集合体と反射板４ｃの集合体は、順次に径方向の長さが大きくなるものであって、反射板４ａ等は、径方向にも間隔をあけて配置されている。このように反射板４ａ等を配置することによって、反射体４は全体として殻状（本実施形態では、全体として半楕円球殻状）に形成されている。また反射板４ａ等の間には、隙間Ｇが設けられている。
【００２１】
なお、本実施形態では反射板４ａ、４ｂ、４ｃによって反射体４を構成するとしたが、反射板４ａ等の数に限定はなく、４種類以上でもよい。また本実施形態の隙間Ｇは、反射板４ａ等を上下方向と径方向の両方にずらすことで形成されているが、上下方向及び径方向の何れか一方をずらすことによって形成してもよいし、周方向に隣り合う反射板４ａ同士を離隔させて周方向に隙間Ｇが形成されるようにしてもよい。
【００２２】
第二反射体５は、図示したように反射体４の内側において、光源３の直下に配置されている。第二反射体５は、例えば反射板４ａ等のように光沢を有する金属製の薄板を複数組み合わせて形成される。本実施形態の第二反射体５は、上方から下方に向かって径方向に広がるように斜めに延在する上側錐体部分と、上側錐体部分の下端部から下方に向かって径方向に狭まるように斜めに延在する下側錐体部分とを組み合わせた形状（ダイヤモンドの如き形状）になるものである。
【００２３】
上述した反射体４における反射板４ａ等の角度や位置、及び第二反射体５の角度や位置は、光源３からの直接光Ｌ１や、直接光Ｌ１を反射体４等で反射した反射光Ｌ２が、最終的には主に下方に向けて照射されるように設定されている。
【００２４】
太陽電池６は、これに照射された光のエネルギーを電力に変換するものである。太陽電池６は、図示したように反射体４の内側に設けられて、照らされる光によって発電する。なお、図示した太陽電池６の数は一例であって、これに限定されるものではない。
【００２５】
太陽電池６の角度や位置は、カバー２を透過するとともに反射体４の隙間Ｇの間を通過する外光Ｌ３によって発電し、また光源からの光（上述した直接光Ｌ１や反射光Ｌ２）によっても発電できるように設定されている。
【００２６】
蓄電池７は、不図示の配線等によって太陽電池６に電気的に接続されている。太陽電池６によって発電された電力は、蓄電池７に蓄えられて光源３に供給される。本実施形態の蓄電池７は、光源３の上方においてこれに隣接して設けられているが、蓄電池７を設ける位置に限定はなく、カバー２の内側において光源３から離隔した場所に設けてもよい。またカバー２の外側においてカバー２から分離させて設けてもよい。
【００２７】
このような形態になる照明装置１は、カバー２の内側に光源３と太陽電池６の両方を配置しているため、それぞれに保護部材を必要としていた従来の照明装置に比して、コストを削減することができる。また光源３と太陽電池６が１つのカバー２の内側に収まっていてこれらを一体的に取り扱うことができるため、容易に設置することができる。
【００２８】
照明装置１は、日中においてはカバー２を透過するとともに反射体４の隙間Ｇの間を通過する外光Ｌ３が太陽電池６に当たることによって発電することができる。このため、日中に発電した電力は、蓄電池７に蓄えられる。
【００２９】
そして夜間においては、蓄電池７に蓄えた電力によって光源３を発光させて、照明装置１の下方に位置する道路等を照らすことができる。照明装置１は、反射体４と第二反射体５を備えていて、これらによって光源３からの光を主に下方に向けて照射することができるため、光源３のみの場合に比して、道路等を明るく照らすことができる。
【００３０】
また光源３を発光させると、太陽電池６はその光（直接光Ｌ１や反射光Ｌ２）でも発電する。このため、夜間においても蓄電池７に電力を蓄えることができる。
【００３１】
以上、本考案の一実施形態について説明したが、本考案は係る特定の実施形態に限定されるものではなく、上記の説明で特に限定しない限り、実用新案登録請求の範囲に記載された本考案の趣旨の範囲内において、種々の変形・変更が可能である。また、上記の実施形態における効果は、本考案から生じる効果を例示したに過ぎず、本考案による効果が上記の効果に限定されることを意味するものではない。
【符号の説明】
【００３２】
１：照明装置
２：カバー
３：光源
４：反射体
４ａ、４ｂ、４ｃ：反射板
５：第二反射体
６：太陽電池
７：蓄電池
Ｇ：隙間
【図１】
0003229928.tif 000003